Podtech/llm-jp-corpus-v4-ja_patent huggingface dataset:
(57)【要約】      （修正有）【課題】光を通さなくても、美しさと輝きを実現し、壁面への直接取り付けを可能にしたステンドグラスを提供する。【解決手段】ステンドグラス２の背面に鏡１を用い、ステンドグラスの表面に入射した光がステンドグラスの背面の鏡に届き、その光が鏡で反射してステンドグラスの裏面から入射することで、美しく輝く表札を実現した。また、外壁に設置するステンドグラスとするため、鏡とステンドグラスの二層の表面を強化ガラスで覆ったことで、「強固さ」と「耐久性」を実現した。【選択図】図１
2019178060.tif 000002
【特許請求の範囲】
【請求項１】
ステンドグラスの背面に鏡を用いた二層構造で、光を通さなくても、一方からの光で美しく輝くステンドグラス。
【請求項２】
色つきガラス個々の縁を削って磨き上げる「面取りガラス」を採用したことで、入射光と反射光の屈折を利用して、輝きを増幅させたステンドグラス。
【請求項３】
室内壁、及び外壁への取り付けを容易にすると共に、取り付けの費用を大きく削減したステンドグラス。
【請求項４】
外壁へ設置において、表面を強化ガラスで覆ったことで、風雨にさらされる外部環境において耐久性に優れたステンドグラス。
【請求項５】
外壁設置において、鏡、ステンドグラス、強化ガラスの「三層構造」を、金属性のアルミ線を含んだゴム製のブチルテープでシーリングし、密封状態を保持したことで、結露を防いだステンドグラス。
【発明の詳細な説明】
【技術分野】
【０００１】  本発明は、光を通さなくても、美しさと輝きを実現し、壁面への直接取り付けを可能にしたステンドグラスに関するものである。
【背景技術】
【０００２】  ステンドグラスの美しさと輝きは、ステンドグラス表裏の両面双方から光が透光することで実現している。日中であっても、光が双方から入射しなければ、ステンドグラスの美しさ、輝きは得られない。ステンドグラス２（図１）の背面に鏡１（図１）を用いたことで、ステンドグラスに入射した光が通過した後、ステンドグラス２（図１）の背面の鏡に届いた光が、もう一度、ステンドグラス２（図１）の裏面から入射することで、表裏双方からの光の透光を可能にし、ステンドグラスを美しく輝かせることを実現した。【０００３】  更に、ステンドグラスの輝きを増すため、色つきガラス個々の縁を削って磨き上げる「面取りガラス」３（図１）を採用したことで、入射光と反射光を屈折させたことで、輝きを増幅させている。【０００４】  ステンドグラス２（図１）の背面の鏡１（図１）は、金属性のアルミ線を含んだゴム製のブチルテープ４（図１）でシーリングし、密封状態を保持したことで、外壁設置において結露を防いでいる。【０００５】  ステンドグラスの美しさと輝きは、表裏の両面双方から光が透光する環境にある、「窓」・「ドア」、及び「外構」に取り付けられているが、本ステンドグラスは、表面の一方からの光しか入射しない環境にある壁に直接装着しても、ステンドグラスの美しさと輝きを実現するもので、今までにないステンドグラスの設置場所を提案するものである。【０００６】  ステンドグラスの「室内壁」及び「外壁」への取り付けは、表裏の両面双方から光が透光する環境が必要なので、設置部分をくり抜く、もしくは「ドア」本体自体を交換する等の工事が必要となるため、時間と費用がかかる。本ステンドグラスは、背面に鏡１（図１）を用いた二層構造にしたことで、表面の一方からの光しか入射しない環境下において、ステンドグラスの美しさと輝きを実現しており、「室内壁」及び「外壁」への取り付けを容易にすると共に、その費用を大きく削減したものである。【０００７】  外壁への取り付けにおいては、外部環境に耐え得る耐久性が必要となるため、最背面に鏡１（図２）、真ん中にステンドグラス２（図２）、表面に強化ガラス５（図２）とした「三層構造」とし、更に、その３枚の合わせは、金属性のアルミ線を含んだゴム製のブチルテープ４（図２）でシーリングし、密封状態を保持し続けるものである。【０００８】  更に、「三層構造」は、ステンドグラスのデザインを成す金属のケーム、及び色ガラスへのダメージ、経年劣化、結露をも防いでいる。
【発明の概要】
【０００９】  インテリアとして装飾されるステンドグラスは、光がステンドグラスの表裏双方向から透過しなければ美しさは実現し難いため、その利用は、「窓」・「ドア」、及び一部の「外壁」等の装飾に限定されているが、本ステンドグラスは、表面の一方からの光しか入射しない環境にある壁への装着を目的にしたもので、今までにないステンドグラスの設置場所を提案するものである。
【００１０】  本発明は、ステンドグラス２（図１）の背面に鏡を用いたことで、光が両方から通らなくても、鏡の反射を利用して一方向からの光で、ステンドグラスの美しさと輝きを実現したものである。外壁への設置については、風雨等を直接的に受ける環境下であるため、構造を、最背面に鏡１（図２）、真ん中にステンドグラス２（図２）、表面に強化ガラス５（図２）とした「三層構造」にしたことと、その３枚の合わせに金属性のアルミ線を含んだゴム製のブチルテープ４（図２）を用いてシーリングしたことで、ステンドグラスの美しさと輝きを成す個々の色ガラスの色褪せと、その色ガラスピースを一つ一つ繋げるケームという金属の部分の劣化も防いでいる。
【図面の簡単な説明】
【００１１】
【図１】  本発明に係るステンドグラスの背面に鏡を用いた斜視図である。
【図２】  外壁設置のために「三層構造」にした断面図である。
【発明を実施するための形態】
【００１２】  図１が鏡をステンドグラスの背面に設けた、二層を示している。図２は、外壁取り付けのために、前面を強化ガラスで覆った三層構造を示したものである。
【符号の説明】
【００１３】１  鏡
２  ステンドグラス
３  面取りガラス
４  ブチルテープ
５  強化ガラス
【図１】
2019178060.tif 000003
【図２】
2019178060.tif 000004
(57)【要約】      （修正有）【課題】和装帯の太鼓であって、太鼓の好みの望ましい形態を着崩れすることなく簡単に維持できるようにする。【解決手段】帯と太鼓とが別体となっている和装帯の着付けにあって、左右両端が開口する扁平筒形状の太鼓本体１の中央部内下端に、この太鼓本体１を支持する補助板２を伸縮自在な連結片１０を介して装着し、この補助板２の上部に、両端に締め紐５を縫合した帯枕４を挿通する伸縮自在なリング３を設けた構成の和装帯の太鼓である。太鼓本体１は補助板２により上下に支持されるので、確実にその形状を維持することができ、帯枕４は、補助板の上部に設けた伸縮自在なリング３に挿通されるのでその大きさに限定を受けることはなく、好みに応じた多種のものを選択することができる。【選択図】図１
2019178440.tif 000002
【特許請求の範囲】
【請求項１】
左右両端が開口する扁平筒形状の太鼓本体（１）の中央部内下端に、前記太鼓本体（１）を上下に支持する補助板（２）を伸縮自在な連結片（１０）を介して装着し、前記補助板（２）の上部に、両端に締め紐（５）を縫合した帯枕（４）を挿通する伸縮自在なリング（３）を設けたことを特徴とする和装帯の太鼓。
【発明の詳細な説明】
【技術分野】
【０００１】
この発明は和装帯の背中に装着する太鼓に関するものである。
【背景技術】
【０００２】
従来から、和装帯を容易に着付けることができるように帯と太鼓とを別体にすることが知られている（例えば特許第５１９０１５１号）。これは、着た着物に帯を巻き付け更に太鼓を装着するものであり、この和装帯の太鼓としては以下のような発明が提案されている。
【先行技術文献】
【特許文献】
【０００３】
【特許文献１】特許第４０２３６６４号公報
【発明の概要】
【発明が解決しようとする課題】
【０００４】
上記発明は、太鼓に丸みを持たせるために複数のダーツを設けたり、太鼓のブカブカを防止するために帯枕に四角形の板材を固定したりする構成である。
【０００５】
処で、着物姿を飾る帯の形を整えたりアレンジをするために、即ち、結ぶ帯の太鼓の上部を形作する小物の一つとして帯枕が用いられる。帯結びに適した帯枕であると、太鼓を円滑に形成することができるのである。
【０００６】
そして帯枕は、細いもの、ふっくらしたもの、幅の狭いものや広いものと多彩であり、例えば細くて厚みの少ない帯枕は気軽な太鼓姿の印象になるのでカジュアルな装いに適し、ふっくらと厚みのある帯枕は重厚な印象になるので、礼装や正装をする際に適している。更には体型や年齢によっても多様な選択肢があり、太鼓内に位置する帯枕はそれ自体は外観上の視認できなくても、太鼓の外観形状を決めるのに大きな役目を果たしているのである。
【０００７】
そこで、上述した従来技術の発明のように、帯枕に板材を固定してしまうと、多様な形態のある帯枕の選択対応をすることができない問題がある。
【０００８】
よって本発明は、上述した従来技術の欠点、不都合、不満を解消するべく開発された和装帯の太鼓であって、太鼓の好みの望ましい形態を着崩れすることなく簡単に維持できるようにすることを課題としている。
【課題を解決するための手段】
【０００９】
上記課題を解決するため、本発明の和装帯の太鼓は、左右両端が開口する扁平筒形状の太鼓本体の中央部内下端に、この太鼓本体を上下に支持する補助板を伸縮自在な連結片を介して装着し、この補助板の上部に、両端に締め紐を縫合した帯枕を挿通する伸縮自在なリングを設けたことを特徴とする。  
【発明の効果】
【００１０】
上記した本発明によれば、扁平筒形状の太鼓本体は補助板により上下に支持されるので、確実にその形状を維持することができ、太鼓本体内に通された帯枕両端の締め紐を胸元で結ぶことにより、太鼓本体を上下に位置ずれ着崩れさせることなく装着することができる。
【００１１】
そして帯枕は、補助板の上部に設けた伸縮自在なリングに挿通されるのでその大きさに限定を受けることはなく、好みに応じた多種のものを選択することができる。そして補助板はその下端が伸縮自在な連結片を介して装着されているので、補助板の下端位置を変化させることなく太鼓本体端の開口部から補助板の上端部のみを引き出すことができ、伸縮自在なリングに挿通された帯枕を好みに応じたものに交換することができ、本発明は和装帯の太鼓を外観体裁好く容易に装着にできる等、多くの優れた作用効果を奏する。
【図面の簡単な説明】
【００１２】
【図１】本発明の和装帯の太鼓の一例を示す正面切欠き断面図である。
【図２】図１で、補助板の上端部のみを引き出した状態を示す正面切欠き断面図である。
【図３】Ａ−Ａ線断面図である。
【発明を実施するための形態】
【００１３】
太鼓本体１は左右両端が開口する扁平筒形状で、その中央部内にこの太鼓本体１を上下に支持する補助板２を装着する。そしてこの補助板２の上部に伸縮自在なリング３を設け、このリング３内を両端に締め紐５を縫合した帯枕４を挿通するのである。また、補助板２は太鼓本体１の中央部内下端に伸縮自在な連結片１０を介して装着されており、帯枕４の交換は、連結片１０を伸ばして太鼓本体１端の開口部から補助板２の上端部のみを引き出すことにより達成できる。
【実施例】
【００１４】
表面に所望の模様を施した布製の太鼓本体１にあって、上端縁は美観の観点から若干山形にする必要があり、ここでは補助板２によって内方から押し上げることによりその山形６を形成する。また一本の帯で太鼓まで作り上げた時に形成される帯端７が太鼓本体１の左右から模擬的に導出し、同様に、太鼓本体１の下端に帯垂れ８を模擬的に装着する。
【００１５】
帯枕４は一般にはウレタン製の弾力のあるものが採用されるが、形状や大きさを使用者の好みに応じてタオル等を巻いて作成しても良い。そして前述したようにこの帯枕４は太鼓本体１内に通されたて締め紐５を胸元で結ぶことになるので、外観上の体裁を考慮して締め紐５を含む帯枕４全体を薄い布製の帯揚げ９で包む。
【００１６】
補助板２は合成樹脂の可撓性材料で、角部で太鼓本体１を傷付けたりしないように所定の布で包むと良く、伸縮自在なリング３は帯枕４の各種の大きさに対応できるようにゴム材が用いられる。
【００１７】
そして補助板２の下端は太鼓本体１内中央で位置ずれしないように連結片１０で連結されてあり、帯枕４を取り換える際にはリング３部分が太鼓本体１両端の開口部のいずれかから覗き出るようにする。
【符号の説明】
【００１８】
１  太鼓本体
２  補助板
３  リング
４  帯枕
５  締め紐
６  山形
７  帯端
８  帯垂れ
９  帯揚げ
１０  連結片
【図１】
2019178440.tif 000003
【図２】
2019178440.tif 000004
【図３】
2019178440.tif 000005
(57)【要約】      （修正有）【課題】墓石付属品として、献花のお供えを補うことを目的に、インテリアに装飾として用いるステンドグラスを用いての供養のお花を提供する。【解決手段】光を通さなくても、一方からの光で美しく輝かせるため、ステンドグラス２の背面に鏡１を用いた。これによりステンドグラスの表面に入射した光がステンドグラスの背面の鏡に届き、その光が鏡で反射してステンドグラスの裏面から入射することで、供養の花の美しさを再現した。また、鏡、ステンドグラス、強化ガラス３の「三層構造」は、室外環境に耐え得る「耐久性」と「強固さ」に優れており、それを石材に埋め込んだことで、お供えの花を着飾る墓石の付属品として、お供えの花の美しさを半永久的且つ年中醸し出すことを可能にし、故人様への想いを形で表現し続けることを実現した。【選択図】図１
2019178604.tif 000002
【特許請求の範囲】
【請求項１】
ステンドグラスの背面に鏡を用いて、光を通さなくても、一方からの光で美しく輝かせるステンドグラスを用いて、献花をデザインした墓石備品。
【請求項２】
構造は、鏡、ステンドグラス、強化ガラスの順とした「三層構造」を、金属性のアルミ線を含んだゴム製のブチルテープでシーリングしたことで密封状態を保持したうえで、それを石材に埋め込み固定した墓石備品。
【請求項３】
破損、経年劣化、結露を防いでおり、お供えの生花が枯れて朽ちてしまうのに対し、墓石本体同様、半永久的に、故人様への供養のお花の美しさをお供えできる墓石備品。
【請求項４】
色つきガラス個々の縁を削って磨き上げる「面取りガラス」を採用したことで、入射光と反射光を屈折させて輝きを増幅させたステンドグラスを用いて、献花の美しさを再現した墓石備品。
【発明の詳細な説明】
【技術分野】
【０００１】  本発明は、光を通さなくても、美しさと輝きを実現したステンドグラスを用いて、献花を再現した墓石備品に関するものである。
【背景技術】
【０００２】  ステンドグラスの美しさと輝きは、ステンドグラス表裏の両面双方から光が透光することで実現している。日中であっても、光が双方から入射しなければ、ステンドグラスの美しさ、輝きは得られない。ステンドグラス２（図１）の背面に鏡１（図１）を用いたことで、ステンドグラスに入射した光が通過した後、ステンドグラス２（図１）の背面の鏡に届いた光が、もう一度、ステンドグラス２（図１）の裏面から入射することで、表裏双方からの光の透光を可能にし、ステンドグラスを美しく輝かせることを実現した。【０００３】  さらにステンドグラスは、窓、ドア等のインテリア装飾に用いられるが、表面を強化ガラス３（図１）で覆ったことで、ステンドグラスのデザインを成す金属のケーム部分５（図１）と色ガラスへのダメージ、及び経年劣化を防いでいる。【０００４】  構造は、最背面に鏡１（図１）、真ん中にステンドグラス２（図１）、表面に強化ガラス３（図１）とした「三層構造」で、その３枚の合わせは、金属性のアルミ線を含んだゴム製のブチルテープ４（図１）でシーリングし、密封状態を保持したうえで、それを石材に埋め込み固定している。【０００５】  墓石備品は、外部環境に耐え得る耐久性が必要であるが、「三層構造」により、「強固さ」、「耐久性」を実現した。更に、「結露」も防ぐので、ステンドグラス本来の美しさ、輝きを遮らない。石材に組み込むものなので、墓石本体同様、半永久的に、故人様への供養のお花を美しい状態でお供えできる。
【発明の概要】
【０００６】  インテリアとして装飾されるステンドグラスは、光がステンドグラスの表裏双方向から透過しなければ美しさは実現し難く、室外環境にある墓地・墓石に取り付けることに適していない。更に、ステンドグラスは、美しさ、輝きを実現するため、色ガラスのピースを一つ一つケームという金属で繋ぎ合わせたものであるが、その材質と構造から、外部の風雨等を直接的に受ける環境下においては、破損の懸念及び経年劣化は避けられない。
【０００７】  本発明は、ステンドグラス２（図１）の背面に鏡を用いたことで、光が両方から通らなくても、鏡の反射を利用して一方向からの光で、ステンドグラスの美しさと輝きを実現したものである。更に、構造を、最背面に鏡１（図１）、真ん中にステンドグラス２（図１）、表面に強化ガラス３（図１）とした「三層構造」にしたことと、その３枚の合わせに、金属性のアルミ線を含んだゴム製のブチルテープ４（図１）を用いてシーリングしたことで、破損の懸念、経年劣化を防ぐと共に、結露をも防ぐことを実現した。本発明により、故人様への供養の際の献花が生花であるために短期的に枯れて朽ちるが、お供えの花の美しさを半永久的且つ一年中醸し出すので、頻繁に供養に伺えない方の想いを形で表現し続けることが出来る。
【図面の簡単な説明】
【０００８】
【図１】  本発明に係るステンドグラスの背面に鏡を用い、更に強化ガラスで覆った断面図である。
【図２】  ステンドグラスを石材のはめ込んだ正面図である。
【発明を実施するための形態】
【０００９】図１が図２に組み込まれて設置される。図１は、最背面に鏡１（図１）、真ん中にステンドグラス２（図１）、表面に強化ガラス３（図１）とした「三層構造」のもので、図２が、それを石材にはめ込んだものである。
【符号の説明】
【００１０】１  鏡
２  ステンドグラス
３  強化ガラス
４  ブチルテープ
５  ケーム
【図１】
2019178604.tif 000003
【図２】
2019178604.tif 000004
(57)【要約】【課題】  排ガス中の水銀の連続監視が可能な水銀の管理方法を提供する。【解決手段】  水銀の管理方法は、溶融炉または焼却炉から排出される、還元性ガスの濃度が８００ｐｐｍ以上、２０００ｐｐｍ以下である排ガス中の水銀の濃度を連続的に測定することを特徴とする。【選択図】        図１
2019178796.tif 000002
【特許請求の範囲】
【請求項１】
溶融炉または焼却炉から排出される、還元性ガスの濃度が８００ｐｐｍ以上、２０００ｐｐｍ以下である排ガス中の水銀の濃度を連続的に測定することを特徴とする水銀の管理方法。
【請求項２】
所定の換算式を用いて前記水銀の測定値から換算値を取得し、
前記換算値により前記水銀を管理することを特徴とする請求項１に記載の水銀の管理方法。
【請求項３】
前記水銀の濃度を測定する装置は、還元剤を有する還元気化紫外線吸光光度方式の装置であることを特徴とする請求項１または２に記載の水銀の管理方法。
【請求項４】
前記還元性ガスは硫黄酸化物を含むことを特徴とする請求項１から３のいずれか一項に記載の水銀の管理方法。
【発明の詳細な説明】
【技術分野】
【０００１】
本発明は水銀の管理方法に関する。
【背景技術】
【０００２】
溶融炉でスラッジなどを溶融し、焼却炉で廃棄物を焼却することで、スラッジおよび廃棄物から金属を回収する処理が行われている（特許文献１など）。
【先行技術文献】
【特許文献】
【０００３】
【特許文献１】特開２０１６−８７５５０号公報
【非特許文献】
【０００４】
【非特許文献１】排ガス中の水銀測定方法（平成２８年環境省告示第九十四号）
【発明の開示】
【発明が解決しようとする課題】
【０００５】
こうした処理工程で排出される排ガス中の水銀の監視が要求されており、特に連続監視が重要である。現状、溶融炉や焼却炉のような排ガスの場合は、非特許文献１に記載のようにガスを採取して、分析をする連続でない測定がなされている。
【０００６】
本発明は上記の課題に鑑み、排ガス中の水銀の連続監視が可能な水銀の管理方法を提供すること目的とする。
【課題を解決するための手段】
【０００７】
本発明に係る水銀の管理方法は、溶融炉または焼却炉から排出される、還元性ガスの濃度が８００ｐｐｍ以上、２０００ｐｐｍ以下である排ガス中の水銀の濃度を連続的に測定することを特徴とする。
【０００８】
この場合において、所定の換算式を用いて前記水銀の測定値から換算値を取得し、前記換算値により前記水銀を管理することができる。
【０００９】
また、前記水銀の濃度を測定する装置は、還元剤を有する還元気化紫外線吸光光度方式の装置でもよい。
【００１０】
前記還元性ガスは硫黄酸化物を含んでもよい。
【発明の効果】
【００１１】
本発明に係る水銀の管理方法によれば、排ガス中の水銀の連続監視が可能である。
【図面の簡単な説明】
【００１２】
【図１】図１は水銀を含む原料の処理工程を例示する図である。
【発明を実施するための形態】
【００１３】
図１は水銀を含む原料の処理工程を例示する図である。図１に示すように、例えば金属を含む廃棄物などの原料が焼却炉で焼却される、または溶融炉で溶融される。焼却炉および溶融炉からは排ガスおよびダストが排出される。焼却炉のダストは湿式で処理され、排水工程で処理される。排水工程では重金属やフッ素を除去し、排水残渣と処理水に分けられる。排水残渣には鉛（Ｐｂ）、アンチモン（Ｓｂ）、水銀（Ｈｇ）、銅（Ｃｕ）などの金属が含まれている。排水残渣を溶融炉に投入し、精製工程を行うことで、排水残渣から銅などの金属を回収することができる。
【００１４】
Ｈｇによる環境汚染を抑制するため、溶融炉および焼却炉におけるＨｇの監視が重要となる。そこで、図１に示すように測定装置を用いて排ガス中のＨｇ濃度を連続的に測定する。
【００１５】
測定には、還元気化紫外線吸光光度方式の測定装置を用いる。例えば京都電子工業株式会社の排ガス中水銀濃度計ＨＧ−３７などを使用する。ガス中のＨｇには０価と２価の価数の異なるＨｇが存在する場合もある。こうした測定装置は、還元剤を有する還元部を備え、２価のＨｇを０価に還元したうえで、０価のＨｇの濃度を測定する。後述するが、本発明では、還元部によりＳＯＸの一部が除去されることで測定が可能となることを見出した。測定装置によりＨｇ濃度の連続的な測定を行い、例えば２４時間におけるＨｇ濃度の移動平均を算出することで、Ｈｇ濃度の監視を行う。例えば、Ｈｇ濃度の測定値が８０μg/ｍ３を超える場合、活性炭入り消石灰の排ガス処理設備への吹き込み量を最大（１３５ｋｇ/ｈ）にし、それでも下がらない場合は原料投入を控える。
【００１６】
溶融炉および焼却炉の排ガスには例えば８００ｐｐｍから２０００ｐｐｍ程度の硫黄酸化物（ＳＯｘ）が含まれている。ＳＯｘの吸収波長はＨｇに近いため、Ｈｇ濃度の測定に干渉してしまう。ＳＯｘを除去することで、精度の高いＨｇ濃度の連続測定が可能である。例えば、測定装置の還元部はＳＯｘを除去することができる。すなわち、還元部により２価のＨｇを０価に還元し、かつＳＯｘを除去したうえで、Ｈｇ濃度を測定する。これによりＨｇ濃度の測定の精度が向上し、Ｈｇ濃度の連続監視が可能となる。なお、ＳＯｘは石膏化または芒硝化などにより除去されると考えられる。
【００１７】
Ｈｇの管理には、所定の換算式を用いて測定値から導き出される換算値を用いてもよい。換算式は例えば以下の式である。ｘはＨｇ濃度の測定値、ｙは換算後のＨｇ濃度である。
ｙ＝０．０９１５ｘ＋４．３１２４
【００１８】
前述のように、測定装置の還元剤は排ガス中のＳＯｘなど酸性ガスを除去することができる。酸性ガスは還元性ガスでもあり、ＳＯｘ、ＣＯ、ＣＯ２、ＮＯｘ、ハロゲンなどを含むガスである。この場合、特にＳＯｘが多く含まれるガスを言う。しかし還元性ガスの濃度は例えば８００ｐｐｍ以上、２０００ｐｐｍ以下などと高いため、測定装置の還元部の還元剤（ソーダライムなど）が速く劣化する恐れがある。特に、ＳＯｘ以外に、排ガス中のＨＣｌおよびＨＦ／ＨＮＯ３などの酸性ガス、また有機物も還元剤の劣化の原因となる。還元剤が劣化すると、排ガス中のＳＯｘを除去しきれない。この結果、測定装置がＨｇだけでなくＳＯｘも測定してしまい、非常に大きな測定値が誤って得られることがある。したがって、例えば２週間に一度など、定期的に還元剤を交換することが好ましい。
【００１９】
上記のように、例えば大きな測定値が頻発する場合、還元剤の劣化の可能性がある。この場合、別の測定器でＨｇ濃度を測定してもよい。この測定で得られたＨｇ濃度が低ければ、測定装置の還元剤が劣化していると考えられるため、還元剤を交換する。一方、別の測定器で測定してもＨｇ濃度が高ければ、実際にＨｇ濃度が高いため、原料の処理を一旦停止してもよい。
【００２０】
以上、本発明の実施例について詳述したが、本発明は係る特定の実施例に限定されるものではなく、特許請求の範囲に記載された本発明の要旨の範囲内において、種々の変形・変更が可能である。
【図１】
2019178796.tif 000003
(57)【要約】      （修正有）【課題】同窓会等の開催を希望するグループの幹事の負担を軽減又は排除し、定期的に開催しようとする場合には確実に開催できるようにする。【解決手段】同窓会等の幹事のために、メールやインターネット等の手段を使い、参加メンバーを募り、日時、予算、開催場所等を調整し、レストランに予約を発注し、参加メンバーのキャンセルが発生した場合にはレストランにその旨の連絡行う。参加代金の支払い請求、支払いの決済に関する処理（クレジット・カードによる決済等）を含む。【選択図】なし【特許請求の範囲】
【請求項１】
同窓会、クラス会、サークルの会合、父母会、友人との食事会、会社の宴会等（以下、「同窓会等」という。）の開催を希望するグループの要望により、コンピュータ・システムの管理者等が当該同窓会等の参加メンバーの氏名、住所、電話番号、メールアドレス（ＳＮＳのＩＤを含むが、それらに限らない。）等（以下、「メンバー情報」という。）、グループの名称、同窓会等の開催希望時期（特定の日時、凡その月日、月次・年次等の定期的な開催、時間帯）、予算、最少開催人数及び開催場所（飲食店、また、宿泊を伴う同窓会等においては、ホテル、旅館、その他の開催場所（以下、「レストラン等」という。）、レストラン等の種類（和食、洋食、中華料理等の種類）、最寄り駅等）、設備の希望（個室、禁煙室、カラオケ設備等）その他同窓会等を開催するに際して一般的に必要な情報を登録する（幹事または参加メンバーによる入力を受付けるものを含む。）システム。
【請求項２】
参加予定メンバーにメール等で開催時期を通知し、メンバーの都合を調査し（参加メンバーによる入力を受付けるものを含む。）、開催日時（登録された希望開催時期が凡その月日又は週である場合は最大人数が参加できる日）を特定するシステム。
【請求項３】
同窓会等の企画を受容れるレストラン等を募集し、レストラン等の場所・地図、連絡先情報、提供メニュー、コース料金、最少開催人数・最大受容れ人数、設備の状況その他同窓会等を受容れるために一般的に必要な情報を登録する（当該レストラン等による入力を受付けるものを含む。）システム。
【請求項４】
メンバーに開催時期（日時）、受容れレストラン等（複数ある場合は、希望するレストラン等を指定するか、レストラン等をシステムが任意に選択するか、希望順位を定める場合はその順位、多数決を採択する場合は最多数及び順位）、コースメニュー等を確認するためにメール、ＳＮＳその他の方法で通知し、メンバーから確認を受ける（幹事または参加メンバーによる入力を受付けるものを含む。）システム。
【請求項５】
上記の請求項４により参加人数、開催日時及び希望レストラン等が確定すれば、受容れレストラン等に通知し、予約を発注し確定するシステム。
【請求項６】
あるメンバーの情報、特にメールアドレス等の連絡先が変わった場合に、本人または別のメンバーの申請により変更後の連絡先情報を登録（本人または別のメンバーによる入力を受付けるものを含む。）するシステム。
【請求項７】
あるメンバーが参加できなくなった場合に、その旨の登録・入力をすれば、受容れレストラン等及び他のメンバーにキャンセル情報を発信し、受容れレストラン等に対して参加人数を変更することを発注する、または最少開催人数を下回る場合は同窓会等のキャンセルを発信するシステム。
【請求項８】
同窓会等の開催日が近づけば、参加メンバーにメール等でリマインダーを発信するシステム。
【請求項９】
ある１または複数のメンバーが登録された開催時期以外の時期に同窓会等の開催を希望する場合、その希望する時期及び、必要に応じて当初に登録された予算その他の情報の変更またはそれ以外の条件を入力することにより、第２請求項、第４請求項乃至第８請求項のプロセスによって臨時的に同窓会等をアレンジするシステム。
【発明の詳細な説明】
【技術分野】
【０００１】同窓会等を希望するグループとその企画（人数、日程、予算を含む。）を受容れるレストラン等をマッチングする。
【発明の概要】
【発明が解決しようとする課題】
【０００２】同窓会等の開催を希望するグループの幹事の負担を軽減又は排除し、定期的に開催しようとする場合には確実に開催できるようにすることが課題である。
【課題を解決するための手段】
【０００３】同窓会等の幹事のために、メールやインターネット等の手段を使い、参加メンバーを募り、日時、予算、開催場所等を調整し、レストラン等に予約を発注し、参加メンバーのキャンセルが発生した場合にはレストラン等にその旨の連絡行うシステム。同システムは、付帯的に参加代金の支払い請求、支払いの決済に関する処理（クレジット・カードによる決済等）を含む。
(57)【要約】      （修正有）【課題】原子炉が事故になった時タービンや復水器を用いないで原子炉を連続的に冷却し放射能を出さない安全な原子炉を提供する。【解決手段】事故時、弁を開いて冷却器に原子炉の水や蒸気を送り、冷却器を冷却して原子炉の熱を奪い、原子炉を安全に連続運転する。弁の小型化を図り、弁の開閉に伴う水の衝撃を少なくするため冷却器は常時原子炉と同じ圧力の水を貯える。【選択図】図１
2019028049.tif 000002
【特許請求の範囲】
【請求項１】
原子炉の水循環装置の水の経路に水を冷却する冷却器を設置し、この冷却器の出入り口に弁を設け常時はこの弁を閉じ、事故時にはこの弁を開いてポンプで水を循環しながら冷却することを特徴とする原子炉
但し、原子炉の水が極端に少なくなった場合は蒸気を入れてこれを冷却し水に変えてからこの水を原子炉に送る。
【請求項２】
上記の冷却器の上部に圧縮空気を充満させ原子炉内部の圧力と冷却器の内部圧力を常に同じ値にすることを特徴とする原子炉
【発明の詳細な説明】
【技術分野】
【０００１】  本発明は事故時に原子炉が過熱し爆発の危険性が出た時、緊急の冷却装置を稼働させる装置に関する。
【背景技術】
【０００２】  原子炉の事故時、爆発を防ぐためベントにより放射能を含んだ蒸気を空中に放出して住民に大きな被害をもたらしていた。
【先行技術文献】
【０００３】  非常時に使用する水や非常電源を確保する等の文献はあるが、非常時に原子炉を冷却する方式に関する文献は特許ほか他の文献にも見当たらなかった。
【発明の概要】
【発明が解決しようとする課題】
【０００４】  原子炉爆発の危険を避けるために放射能を放出する事なく安全を確保すること、この時水の圧力衝撃を起こさせないことが課題である。
【課題を解決するための手段】
【０００５】  緊急時のみ使用する冷却器により原子炉の温度を下げ、蒸気を水に戻して安全を確保する。この時動作する弁の負荷を少なくするために、弁に水を通し他の原子炉のベントのように弁に蒸気を通さない。
冷却器の上部に空気を蓄え、この空気の量を空気圧縮機と空気タンクで制御して冷却器と原子炉の圧力差を無くして弁の負担を軽くする。
【発明の効果】
【０００６】  放射能を放出せず、発電機や復水器を運転しない状態で原子炉を安全に連続運転させる。
本発明の冷却器は６０気圧、４００度の水を６０気圧３００度にする程度で、冷却は容易で冷却器は小さくなり、冷却器の入口と出口の圧力差も０．５気圧程度のため非常用電源は給水機と復水器の０．５％程度である。
【図面の簡単な説明】
【０００７】
【図１】は本発明の冷却器付きの原子炉の原理図である。
【発明を実施するための形態】
図１において原子炉１と循環ポンプ２とパイプ３，４は既設の沸騰水型原子炉の設備である。
緊急時には弁１１，１２を開いてポンプ１３を運転しパイプ９，１０を通して冷却器５に原子炉１の水や蒸気を循環させ冷却器５を海水または空気で冷却する。
【０００８】  この時ポンプ２は停止する。
冷却器８の内部圧力を原子炉１と常に等しくするために空気圧縮機７で冷却器５の上部に空気を制御する。
冷却器５に汽水分離器６を取り付け、冷却器５の水と空気を分離する。
空気圧縮機７は空気タンク８に空気を送ったり出したりする。
この時空気タンク８の空気は原子炉の圧力とほぼ同じである。
【符号の説明】
【０００９】１    原子炉
２    ポンプ
３    パイプ
４    パイプ
５    冷却器
６    汽水分離器
７    空気圧縮機
８    空気タンク
９    パイプ
１０  パイプ
１１  弁
１２  弁
【図１】
2019028049.tif 000003
(57)【要約】【課題】ソフトウェアキーボードのフリック入力について、言語ごとの文字記述方向の感覚に即した方向へのフリック入力を可能とし、誤入力の可能性を低減した、ソフトウェアキーボードプログラム、文字入力装置および文字入力方法を提供する。【解決手段】コンピュータ（携帯情報端末）は、タッチパネルに表示される１つ以上のキー配列を有し、各キーからのフリック入力で入力する文字のフリック入力方向については各言語の文字記述方向に即した方向に設定する。【選択図】図１
2019028590.tif 000002
【特許請求の範囲】
【請求項１】
タッチパネルを備えるコンピュータによって実行され、そのタッチパネルにユーザインタフェースとなるソフトウエアキーボードを実現するソフトウエアキーボードプログラムであって、
前記コンピュータを、前記タッチパネルに表示される文字入力用のキーを備えた文字入力部と、それ以外の各種の機能を実現するためのキーを備えた機能キー配列部とを有し、これらのキー配列を設定するキー配列手段と、
前記タッチパネルに表示された前記ソフトウエアキーボードに対する入力に応じて、前記タッチパネルの文字表示部への文字の出力を制御する出力制御手段として機能させると共に、
前記キーのうち一つ以上のキーに複数の文字の入力機能を与え、
ユーザー操作によってキーを基点として一つ以上の文字に対応する一つ以上の入力インターフェースを展開するとき、
入力する言語ごとに、その言語の一般的記述方向に合わせた方向にキー表示を展開し、
ユーザー入力によって指定された文字を前記文字表示部へ表示させる出力制御を行う
ことを特徴とするソフトウェアキーボードプログラム。
【請求項２】
請求項１記載のソフトウエアキーボードプログラムであって、
前記キー配列手段は、
前記タッチパネルに表示される前記文字入力部のそれぞれのキーについて、請求項１記載の、あるキーを基点として展開された一つ以上の文字に対応する入力インターフェースをもってフリック入力を行うことが可能に設定し、
前記出力制御手段は、そのインターフェースで指定された文字を前記文字表示部へ表示させる出力制御を行う、
ことを特徴とするソフトウエアキーボードプログラム。
【発明の詳細な説明】
【技術分野】
【０００１】
本発明は、ソフトウエアキーボードプログラム、文字入力装置および文字入力方法に関する
【背景技術】
【０００２】
スマートフォン・タブレット等の端末におけるタッチパネル方式にて文字等を入力する際には、所謂ソフトウェアキーボードが画面に表示され、その画面に対応するタッチパネルに触れることで文字等の入力を可能としている。また、このソフトウェアキーボードを用いた入力には、軽快な文字入力を可能とするためにフリック入力を採用したものが一般に普及している。一般的なフリック入力では、触れたキーの上下左右の少なくとも一つに関連するキーが表示され、そのキーに向かって指をスライドさせて触れることにより、文字等の入力を可能としている。
【０００３】
フリック入力の方向は一般的に上下左右の、基点となるキーから90度刻みの方向に設定されており、
例えば英語の「A」または「ABC」のキーでは左方向に「B」・上方向に「C」が、
日本語の「あ」のキーでは左方向に「い」・上方向に「う」・右方向に「え」・下方向に「お」が、
配置されている。
【先行技術文献】
【特許文献】
【０００４】
【特許文献１】US 20100333011 A1
【発明の概要】
【発明が解決しようとする課題】
【０００５】
ところで、多くの言語で文字を学ぶ場合、一般的に文字の一覧表を用いるが、これらの表の記述規則が「ある文字とその上下左右の５文字」を単位としているものは主流とは言えない。
たとえば日本語の場合、上から下方向に母音が「あいうえお」の順になるよう文字が並ぶ五十音表をもってする。このため、「あ」行の「あ」以外の文字が上下左右に配置されていることは、入力時にフリック入力すべき方向を混乱させるもととなる。
また、たとえば英語の場合、左から右方向に「ABC...」と記述する。このため、このため、「A」の上下左右に「B」「C」などの文字が配置されていることは、入力時にフリック入力すべき方向を混乱させるもととなる。
【課題を解決するための手段】
【０００６】
本発明は、かかる問題に鑑みてなされたものであり、その目的とするところは、フリック入力によって入力する、文字のフリック入力方向をその言語の使用者の直感に合わせようとするものである。
【０００７】
上記課題を解決するために、本発明のソフトウエアキーボードプログラムの一側面は、タッチパネルを備えるコンピュータによって実行され、そのタッチパネルにユーザインタフェースとなるソフトウエアキーボードを実現するソフトウエアキーボードプログラムであって、
前記コンピュータを、前記タッチパネルに表示される文字入力用のキーを備えた文字入力部と、それ以外の各種の機能を実現するためのキーを備えた機能キー配列部とを有し、これらのキー配列を設定するキー配列手段と、
前記タッチパネルに表示された前記ソフトウエアキーボードに対する入力に応じて、前記タッチパネルの文字表示部への文字の出力を制御する出力制御手段として機能させると共に、
前記キー配列には選択された言語の文字をそれぞれ表示し、
それぞれの文字から、その言語でのアルファベット順に隣接する１文字以上の文字のフリック入力インターフェースを、その言語の文字の一般的記述方向に展開し、
フリック入力が行われた場合に、各キーに対応する文字を前記文字表示部へ表示させる出力制御を行う
こと、を特徴としている。
【発明の効果】
【０００８】
本発明によると、フリック入力の方向に迷うことなく直感的に文字を入力することが可能な、誤入力の可能性を低減させたソフトウエアキーボードプログラム、文字入力装置および文字入力方法を提供することができる。
【図面の簡単な説明】
【０００９】
【図１】（１）本実施の形態において、日本語入力の場合の「あ」キーからのフリック入力の方向と表示イメージを示している。
【図２】（２）本実施の形態において、英字入力の場合の「ABC」キーからのフリック入力の方向と表示イメージを示している。
【図１】
2019028590.tif 000003
【図２】
2019028590.tif 000004
(57)【要約】【課題】自動車エンジン始動を一定の手順で操作しない限りエンジン駆動回路に電源が供給されない制御装置。【解決手段】本発明は自動車のエンジン駆動回路に電源を供給するにはキーをランダムに配列したキーパットから西暦年または和暦年月、日、曜日を運転時の年、月、日、曜日と一致したときのみエンジン駆動回路に電源が供給される制御装置。【特許請求の範囲】
【請求項１】
自動車エンジン駆動回路に、最初に運転者の生年月日を入力して年齢を判断、７５歳未満の人は事前に設定しておいたパスワードを入力して一致すればエンジンスタートでき、７５歳以上の人が入力する項目は西暦年または和暦年、月、日，曜日、何時（３０分前後）を入力し、運転時の年、月、日、曜日、何時に一致しないと自動車エンジン駆動回路に電源が供給されないことを特徴とする制御装置。
【請求項２】
前記西暦年または和暦年、月、日、曜日、時間はＧＰＳカレンダーまたは電波カレンダーをＣＰＵにプログラム化したものに、キーをランダムに配列したキーパットから入力操作できる任意カレンダーで同期させ、又キーをランダムに配列したキーパットから入力する際、一定の入力時間を設定できるようにし、更に誤入力したときはその回数によりコメントを表示することを特徴とする請求項１に記載の制御装置。
【請求項３】
誤入力した場合の回数によるコメント表示は、Ｉ回目の誤入力はやり直し、２回目はもう一度、３回目は運転注意、４回目は運転危険、５回目は運転中止、６回目以降は免許返納をコメント表示することを特徴とする請求項１に記載の制御装置。
【発明の詳細な説明】
【技術分野】
【０００１】本発明は、認知症の恐れがある高齢者の自動車エンジン駆動制御装置の提供をする。
【背景技術】
【０００２】従来の自動車エンジン始動装置はタッチパットモジュ―ルからパスワード設定によりそれぞれの自動車機能エンジンスタートなどに対応提供されている。（例えば、特許文献１）。
【特許文献１】特開２０１０−０１３０８１
【０００３】特許文献１の自動車の機能エンジンスタートはパスワード入力により制御している。
したがって、一度設定すると毎回同じパスの入力となるか、こまめなパスワードの変更は忘れるなどのトラブルのもとになる。【０００４】又、特許文献１には、認知症の恐れがある高齢者の自動車エンジン始動制御装置は全く記載されておらず、当認知症の恐れがある高齢者の自動車のエンジン始動制御装置を提案するもではない。
【特許文献２】特開２００８−７５６３９
【０００５】認知症患者による車両運転が問題であるとの認識に基づき、エンジン始動を許可する対象者を限定するために、エンジンの始動に対し情報の入力を要求するすることが記載されていますが、入力を要求する具体的事項が特定されていない点と、入力された情報について何をもって妥当性があるとすべきか、又どのような入力方法により検証するかなど解決手段が全く示されていない、従って発明を構成しないものであります。
【特許文献３】特開２００３−７９６３１
【０００６】物忘れ自己診断システムの検査項目に日時の見当識の記載はありますが、入力はタッチパネルからあらかじめ和暦年で１年〜２９年まで表示、日は１日〜３１日まで曜日は月曜日〜土曜日まで表示されているものから選んで正しいかどうかを判断、又タッチパネルに順番に並べたものから入力するようになっておりますが、本願は入力する項目の年、月、日、曜日のキーが０〜９までの数字と年、月、日、曜日がランダムに配列したキーパットからの入力となり、自動車運転に最も重要な集中力、注意力を見ることができ文献３とは相当な相違です。
【発明の概要】
【発明が解決しようとする課題】
【０００７】認知症の恐れがある、又は、疑いのある高齢者が自動車エンジン始動をする際、一定の手順で操作しなければ、エンジン駆動回路に電源が供給されない制御装置。
【課題を解決するための手段】
【０００８】本発明は、認知症の恐れがある高齢者が自動車エンジンを始動する際、キーがランダムに配列したキーパットから西暦年又は和暦年で年、月、日、曜日を正確に入力しなければエンジン駆動回路に電源が供給されず、エンジン始動をできなくしたものである。
上記キーパットからの入力の際、一定の時間内に又、一定の回数内に正確に入力されなければ、長時間エンジン始動を出来なくしたものである。
【発明の効果】
【０００９】本発明は、自動車のエンジン始動をする前に運転時の年、月、日、曜日を正確に記憶してなければ、自動車の運転は不可能となる。【００１０】認知症の初期から中期では、日付、曜日がわからなくなるなど生活に支障をきたすことがある。（国立障害者リハビリテーションセンター研究所）認知症高齢者の自動車運転による事故は後を絶たず、認知症と診断されながら車の運転を続けている人は、予想以上に多いとみられていることから、本発明は、認知症の恐れがあると思われる運転者が自動車の運転をしようとしても、物理的にエンジンスタートが出来ないため、認知症患者による自動車暴走、事故の防止策となる。
【図面の簡単な説明】
【００１１】
【図１】本発明の高齢者による自動車エンジン始動制御装置を図によって説明する。図１は年、月、日、曜日、を入力するキーパットを表す図である。図２は動作を表すフローチャートである。図３は誤入力したときの回数によって表示するコメントである。
【発明を実施するための形態】
【００１２】本発明は、認知症の恐れがある高齢者の自動車の運転を防止するための問題を解決し、認知症の疑いのある高齢者の自動車暴走、事故の防止することを実現するものである。又認知症ドライバーに対して自動車運転免許の自主返納を促す装置になるものと確信いたします。
【実施例】
【００１３】図２に基づいて説明する。
図１のキーパットより入力された年、月、日、曜日は１の任意カレンダーのＣＰＵで制御され、２の電波カレンダーの信号と同期が取れているかチェックされる。【００１４】チェックされ同期してない場合は誤入力と判断されデフォルトとなる。
年、月、日、曜日が正確に入力され同期した場合、３のＩ／Ｏ信号を出力。【００１５】出力されたＩ／Ｏは４のマイコン回路で５の小容量回路でのリレーＯＮ／ＯＦＦとなる。【００１６】自動車エンジン駆動電源は少なくとも５０Ａ以上の大容量が必要となるため、６のパワーＭＯＳＦＥＴ等で大容量のリレーを動作できるよう変換する回路。【００１７】大容量リレーをＯＮ／ＯＦＦできるようになれば、自動車エンジン駆動回路の、イグニッション、エンジンスターターカットリレー、最も簡単なバッテリー回路に接続可能となり、自動車エンジン始動を制御できる。
【符号の説明】
【００１８】１  キーパット入力用任意カレンダーＣＰＵ
２  電波時計万年カレンダー
３  Ｉ／Ｏ出力
４  マイコン
５  小容量リレー
６  大容量リレー
【図１】
2019006362.tif 000002
【図２】
2019006362.tif 000003
【図３】
2019006362.tif 000004
(57)【要約】      （修正有）【課題】安定した把駐力を発揮することができるダンフォース型アンカーを提供する。【解決手段】アンカー使用時の牽引力に充分に耐えうる材質で構成されるアンカーアシスト１を潜行案内板５の内側に取り付け、シャンク２は潜行案内板よりも先にアンカーアシストに接触させる。これによりフレーク３とシャンクの角度は４０°よりも浅いものとなり、フレークが水底に突き刺さりやすい角度となり、アンカーが転倒しにくくなる。【選択図】図１
2019006184.tif 000002
【特許請求の範囲】
【請求項１】
ダンフォース型アンカーの潜行案内板内部に取り付けられ、かなり硬度の高いアンカー使用時の牽引力に充分に耐えうる材質で構成され、設置することでフレークとシャンクの角度を水底への突き刺さりに適する角度に制限するアンカーアシスト器具
【請求項２】
アンカーに簡易に設置できるよう棒状の形状に加工した事を特長とする請求項１記載のアンカーアシスト器具
【請求項３】
材質として硬度の高い金属、例えばチタン、ジュラルミン、ハステロイ、ステンレス、炭素鋼、鋳鉄等を材質とした事を特長とする請求項１〜２記載のアンカーアシスト器具
【請求項４】
棒状で器具の両端に固定するためのボルト穴もしくはネジ穴が明けられている事を特長とする請求項１〜３記載のアンカーアシスト器具
【発明の詳細な説明】
【技術分野】
【０００１】
本発明はダンフォース型アンカーの性能を容易に改善できるアンカーアシスト器具に関するものである。
【背景技術】
【０００２】
小型船舶に使われるアンカーの中で、ダンフォース型アンカーは比較的小型軽量で把駐力が大きいこと、そして水底の地質が砂、砂利、泥等に広く対応できる利点から、ユーザーの間では広く使用されている。このダンフォース型アンカーは水中投入後にシャンクリング６に付けたロープを引く事によって、シャンク２が上方に引き上げられフレーク３との間に一定の角度を生じさせ、フレーク３が水底の砂に突き刺さる事で大きな把駐力を得られる構造になっている。
【０００３】
しかしダンフォース型の欠点として挙げられる事の一つに、フレーク３が水底にうまく突き刺さらないという問題がある。ダンフォース型アンカーは投入後にロープを引く事でアンカーのフレークが水底に対して角度をつけて突き刺さろうとするのだが、その際の角度によってはアンカー本体が傾いてしまい、いくらロープを引いてもフレーク３が水底に突き刺さらず、そのまま引っ張られてしまうことになる。この状態では大きな把駐力が得られずに本来の性能が発揮できず、フレーク３がうまく刺さったときと刺さらない時の性能差が非常に大きくなる。つまり安定して性能を出すことが難しいといえる。
【先行技術文献】
【特許文献】
【０００４】
【特許文献１】特許第３０４６８１６号
【発明の概要】
【発明が解決しようとする課題】
【０００５】
解決しようとする課題は、ダンフォース型アンカーが持つ欠点である、安定して把駐力を発揮できないこと、すなわち水底でアンカー本体が傾いてしまいフレークがうまく突き刺さらない、もしくは突き刺さっても深く潜らないという課題である。
【課題を解決するための手段】
【０００６】
今回発明したアンカーアシストは、ダンフォース型アンカーの潜行案内板内部に取り付けられるもので、かなり硬度の高いアンカー使用時の牽引力に充分に耐えうる材質で構成されている器具である。本器具を設置することでフレークとシャンクの角度を水底への突き刺さりに適する角度に制限する事が可能となる。
【発明の効果】
【０００７】
本器具はフレークとシャンクの角度を制限することにより、100%近い確率でフレークを水底に突き刺すことが可能となり、アンカーが本来持ち合わせている性能を存分に発揮できるようになる。一般的なダンフォース型アンカーでは、フレークとシャンクの角度を40°前後に制限して、それ以上はシャンクが回らないようにしている。
【０００８】
しかし我々が行った研究では、アンカーを効果的に使用できるのはフレークとシャンクが20°〜25°にある時であり、本製品を既存アンカーに取り付けることで簡単にフレークとシャンクの角度を最適化することができ、ひいてはアンカー本来の性能を引き出すことができ、把駐力も増大する。
【図面の簡単な説明】
【０００９】
【図１】一般的なダンフォース型アンカーとアンカーアシスト器具を取付けた状態の斜視図である。
【図２】一般的なダンフォース型アンカーとアンカーアシスト器具を取付けた状態の側面図である。
【図３】一般的なダンフォース型アンカーとアンカーアシスト器具を取付けた状態の平面図である。
【発明を実施するための形態】
【００１０】
以下に本発明を詳細に説明する。
一般的な構造のダンフォース型アンカーを図１に示す。ダンフォース型アンカーは、中央のシャンク２と両側のフレーク３、そしてシャンクを支点で固定するロッド４で構成され、ロッドの後方には潜行案内板５がある。シャンク２はロッド４を支点として回転するが、ある程度回転するとシャンク２が潜行案内板５に当たり、それ以上の角度に回転しなくなる。この構造によりフレーク３とシャンク２の角度を決定している。一般的なダンフォース型アンカーにおいて、フレーク３とシャンク２の角度は40°前後となっている。
【００１１】
本発明ではこのフレーク３とシャンク２の角度に更に制限を設ける事を主目的としている。本器具アンカーアシスト１を潜行案内板５の内側に取り付けることにより、シャンク２は潜行案内板５よりも先に本器具アンカーアシスト１に接触する。よってフレーク３とシャンク２の角度は40°よりも浅いものとなり、フレーク３が水底に突き刺さりやすい角度となり、アンカーが転倒しにくくなる。
【実施例１】
【００１２】
海岸の砂浜で検証実験を行った。以下に実施時の結果を示す。
【００１３】
【表１】
2019006184.tif 000003
【００１４】
いずれのサイズのアンカーにおいても、本器具の装着により「砂に潜る確率」「最大把駐力」の両方が改善されている。
【符号の説明】
【００１５】
１  アンカーアシスト
２  シャンク
３  フレーク
４  ロッド
５  潜行案内板
６  シャンクリング
【図１】
2019006184.tif 000004
【図２】
2019006184.tif 000005
【図３】
2019006184.tif 000006